(57)【要約】医療電気リード線および医療電気リード線を内腔に移植する方法。本発明に従うリード線は、事前形成バイアスを用いて、内腔内にリード線を安定させ、好ましい配向に電極を配向する。医療電気リード線は、Ａ．コイル直径を有する事前形成螺旋形のバイアスを有するリード線本体と、Ｂ．少なくとも１つの電極とを含み、Ｃ．該コイル直径と該少なくとも１つの電極の長さとの比率は、少なくとも４：１である。コイル直径と電極の長さとの比率は、少なくとも５：１である。
2013506494.tif 000002
【特許請求の範囲】
【請求項１】
Ａ．コイル直径を有する事前形成された螺旋形のバイアスを有するリード線本体と、
Ｂ．少なくとも１つの電極と
を含み、
Ｃ．該コイル直径と該少なくとも１つの電極の長さとの比率は、少なくとも４：１である、医療電気リード線。
【請求項２】
前記コイル直径と前記電極の長さとの比率は、少なくとも５：１である、請求項１に記載の医療電気リード線。
【請求項３】
前記コイル直径と前記電極の長さとの比率は、少なくとも６：１である、請求項１に記載の医療電気リード線。
【請求項４】
前記事前形成された螺旋形のバイアスは、収束する螺旋形のバイアスであり、前記コイル直径は、該バイアスの最小コイルの直径として規定される、請求項１に記載の医療電気リード線。
【請求項５】
前記コイル直径と前記電極の長さとの比率は、少なくとも５：１である、請求項４に記載の医療電気リード線。
【請求項６】
前記コイル直径と前記電極の長さとの比率は、少なくとも６：１である、請求項４に記載の医療電気リード線。
【請求項７】
前記事前形成された螺旋形のバイアスは発散する螺旋形のバイアスであり、前記コイル直径は該バイアスの最小コイルの直径として規定される、請求項１に記載の医療電気リード線。
【請求項８】
前記コイル直径と前記電極の長さとの比率は、少なくとも５：１である、請求項７に記載の医療電気リード線。
【請求項９】
Ａ．コイル直径を有する事前形成された螺旋形のバイアスを有するリード線本体と、
Ｂ．複数の電極と
を含み、
Ｃ．該複数の電極の各々の少なくとも一部分は、該螺旋形のバイアスの単一の四分円内にある、医療電気リード線。
【請求項１０】
前記電極の各々は、前記コイル直径と前記電極の長さとの比率が少なくとも４：１であるような長さを有する、請求項９に記載の医療電気リード線。
【請求項１１】
前記電極の各々は、前記コイル直径と前記電極の長さとの比率が少なくとも５：１であるような長さを有する、請求項９に記載の医療電気リード線。
【請求項１２】
前記電極の各々は、前記コイル直径と前記電極の長さとの比率が少なくとも６：１であるような長さを有する、請求項９に記載の医療電気リード線。
【請求項１３】
Ａ．リード線本体軸を有するリード線本体と、
Ｂ．該リード線本体における事前形成されたバイアスであって、該バイアスはバイアス軸を有する、事前形成されたバイアスと
を含み、
Ｃ．該リード線本体軸と該バイアス軸との間の角度は、３０度よりも大きい、医療電気リード線。
【請求項１４】
前記リード線本体軸と前記バイアス軸との間の角度は、４５度よりも大きい、請求項１４に記載の医療電気リード線。
【請求項１５】
内腔にリード線を移植する方法であって、該方法は、
Ａ．内腔にリード線を挿入することであって、該リード線は、螺旋形のバイアスと、複数の電極とを有し、該複数の電極の各々の少なくとも一部分は、該螺旋形のバイアスの単一の四分円内にある、ことと、
Ｂ．該四分円が放射状に外側に延びると、対象の組織が該四分円内にあるように該内腔内に該リード線の位置を決めることと
を包含する、方法。
【請求項１６】
前記内腔は右腕頭静脈を含み、前記対象の組織は右横隔膜神経を含む、請求項１５に記載の方法。
【請求項１７】
前記内腔は左腕頭静脈を含み、前記対象の組織は左横隔膜神経を含む、請求項１５に記載の方法。
【請求項１８】
前記内腔は上大静脈を含み、前記対象の組織は右横隔膜神経を含む、請求項１５に記載の方法。
【請求項１９】
前記内腔は右内静脈を含み、前記対象の組織は舌下神経を含む、請求項１５に記載の方法。
【請求項２０】
前記内腔は、右腕頭静脈と右鎖骨下静脈との間に接合部を含む、請求項１５に記載の方法。
【発明の詳細な説明】
【背景技術】
【０００１】
（背景）
医療を提供する電気的刺激または感知リード線は、益々多くの用途に用いられている。リード線は、適切な医療を送達するかまたは生理的状態を感知するために、脊柱に沿って患者の心臓、および他の位置に移植されてきた。益々多くのリード線が、内腔近くの組織を刺激するかまたは感知するために、静脈、動脈、または他の内腔に移植される。
【０００２】
内腔への電気リード線の移植は、好機を提供する。なぜなら、リード線は、神経カフおよび他の外科手術的に移植される電極を設置するのに必要な外科手術なしで患者の体内に供給され、移植されるからである。内腔にリード線を移植することはまた、刺激されるかまたは感知される組織への外科手術後の外傷または損傷の可能性を減少させる。内腔にリード線を移植することに関連付けられる困難は、リード線移動を有する組織と、リード線および電極を配向させる困難とを含む。
【０００３】
典型的な電気リード線は、電気パルス発生器にかまたはリード線上の電極によって感知された信号を処理するように構成される回路に接続される近位端を有する。リード線上の電極は、可撓性および耐久性のある導体によって遠位端に接続され、可撓性および耐久性のある導体は、最終的に、感知された信号を検出するかまたは刺激療法を送達するために必要とされる回路を含む外部のまたは移植可能な医療デバイスに接続される。
【発明の概要】
【課題を解決するための手段】
【０００４】
（概要）
本発明に従う一実施形態において、医療電気リード線は、コイル直径を有する事前形成螺旋形のバイアスを有するリード線本体を含む。リード線はまた、少なくとも１つの電極を有し、コイル直径と少なくとも１つの電極の長さとの比率は、少なくとも４：１である。他の実施形態において、この比率は、少なくとも５：１または６：１である。
【０００５】
本発明に従う別の実施形態において、医療電気リード線は、コイル直径を有する事前形成された螺旋形のバイアスを有するリード線本体を含む。この実施形態の事前形成された螺旋形のバイアスは、収束する螺旋形のバイアスであり、コイル直径は、バイアスの最小コイルの直径として規定される。リード線はまた、少なくとも１つの電極を有し、コイル直径と少なくとも１つの電極の長さとの比率は、少なくとも４：１である。他の実施形態において、この比率は、少なくとも５：１または６：１である。
【０００６】
本発明に従う別の実施形態において、医療電気リード線は、コイル直径を有する事前形成された螺旋形のバイアスを有するリード線本体を含む。この実施形態の事前形成された螺旋形のバイアスは、発散する螺旋形のバイアスであり、コイル直径は、バイアスの最小コイルの直径として規定される。リード線はまた、少なくとも１つの電極を有し、コイル直径と少なくとも１つの電極の長さとの比率は、少なくとも４：１である。他の実施形態において、この比率は、少なくとも５：１または６：１である。
【０００７】
本発明に従う別の実施形態において、医療電気リード線は、コイル直径を有する事前形成された螺旋形のバイアスを有するリード線本体を含む。この実施形態のリード線は、複数の電極を含み、複数の電極の各々の少なくとも一部分は、螺旋形のバイアスの単一の四分円内にある。別の実施形態において、電極の各々は、コイル直径と電極の長さとの比率が少なくとも４：１であるような長さを有する。他の実施形態において、この比率は、少なくとも５：１または６：１である。
【０００８】
本発明のさらに別の実施形態において、医療電気リード線は、リード線本体軸を有するリード線本体を含む。リード線本体に事前形成されたバイアスがあり、バイアスはバイアス軸を有する。この実施形態のリード線本体軸とバイアス軸との間の角度は、３０度よりも大きい。他の実施形態において、リード線本体軸とバイアス軸との間の角度は、４５度よりも大きい。
【０００９】
本発明に従う別の実施形態は、内腔にリード線を移植する方法であり、方法は、内腔にリード線を挿入するステップであって、リード線は、螺旋形のバイアスと、複数の電極とを有し、複数の電極の各々の少なくとも一部分は、螺旋形のバイアスの単一の四分円内にある、ステップを含む。方法はまた、四分円が放射状外側に延びると、対象の組織が四分円内にあるように内腔内にリード線の位置を決めるステップを有する。
【００１０】
別の実施形態において、リード線を内腔に移植する方法は、内腔にリード線を挿入するステップであって、リード線は、螺旋形のバイアスと、複数の電極とを有し、複数の電極の各々の少なくとも一部分は、螺旋形のバイアスの単一の四分円内にある、ステップを含む。方法はまた、四分円が放射状外側に延びると、対象の組織が四分円内にあるように内腔内にリード線の位置を決めるステップを含み、内腔は右腕頭静脈を含み、対象の組織は右横隔膜神経を含む。他の実施形態において、内腔は左腕頭静脈を含み、対象の組織は右横隔膜神経を含み、内腔は上大静脈を含み、対象の組織は右横隔膜神経を含み、内腔は右内頚静脈を含み、対象の組織は舌下神経を含み、または内腔は、右腕頭静脈と右鎖骨下静脈との間に接合部を含む。
【図面の簡単な説明】
【００１１】
【図１】図１は、本発明の実施形態に従うリード線の斜視図である。
【図２】図２は、本発明の実施形態に従うリード線の斜視図である。
【図３】図３は、本発明の実施形態に従うリード線の斜視図である。
【図４】図４は、本発明の実施形態に従うリード線の斜視図である。
【図５】図５は、本発明の実施形態に従うリード線の平面図である。
【図６】図６は、本発明の実施形態に従う、患者に移植されたリード線の概略図である。
【図７】図７は、本発明の実施形態に従う、患者に移植されたリード線の概略図である。
【図８】図８は、本発明の実施形態に従う移植されたリード線の内腔の断面での概略図面である。
【図９】図９は、図８におけるような本発明の実施形態に従う、Ｂなどの軸に沿って見たリード線の概略図面である。
【発明を実施するための形態】
【００１２】
（詳細な説明）
図１は、本発明の実施形態に従うリード線の斜視図である。リード線は、近位部分２０と、遠位端３０とを有するリード線本体１０を有する。電極４０は、リード線本体１０の遠位部分に沿って分布している。遠位端近くのバイアス領域５０は、螺旋形または円形の態様で形成される。このバイアス領域５０は、他の形状形成構造のスピンドルの周りにリード線を巻き付けること、およびリード線がこのプレフォームされた形状に戻るように付勢される方法で、リード線本体１０を熱処理するかまたはさもなければ形作ることによって形成され得る。リード線本体は、形状記憶ポリマーもしくは金属から組み立てられ得るかまたはこの目的に適している任意の材料で構成され得る。例えばポリウレタンなどの形状記憶ポリマーから構成される場合、リード線本体の厚さもしくは直径または他のパラメータは、バイアスの剛性の程度を調整するために変化させられ得る。
【００１３】
バイアスは、螺旋形または概して円形であり得る。螺旋形のバイアスとして本明細書に説明されるものと円形のバイアスとして本明細書に説明されるものとの間の主な相違は、螺旋形のピッチである。円形のバイアスは、螺旋形のピッチがリード線の厚さ以下であるバイアスである。すなわち、リード線がその応力のない位置にある場合、螺旋形のコイルは、互いに触れ合うかまたは一部重なり合う。螺旋形のピッチがリード線の厚さよりも大きい場合、バイアスは本明細書において螺旋形と呼ばれる。この考察の目的のために、ピッチが本質的に唯一の相違であるので、特に言及されない限り、円形のバイアスと螺旋形のバイアスとは互いに交換可能である。
【００１４】
図１に示されるバイアス５０は、概して一定直径の螺旋形である。この実施形態は、比較的大きい内腔内にリード線を固定することが可能である。実際上は螺旋形の直径は、螺旋形が移植される内腔よりもわずかに大きいように設計され、内腔壁に対するバイアスの圧力は内腔内にリード線を保持する。一旦そのように保持されると、電極は、近くの組織における活動を感知するかまたは近くの組織を電気的に刺激する位置にある。
【００１５】
一実施例として図１の実施形態は、患者の右または左の腕頭静脈または上大静脈内に移植され得る。右および左の両方の腕頭静脈は、直径がおよそ１５ｍｍ〜２２ｍｍの範囲にわたるサイズにおいて類似している。この用途に対する実施形態は、例えば２０ｍｍの螺旋形／コイル径を有し得る。第１の湾曲からリード線の端部までの螺旋形の軸に沿って計測された螺旋形／コイルの長さは、この実施例において３０〜４０ｍｍであり得る。
【００１６】
図２は、本発明の実施形態に従うリード線の斜視図である。図１における実施形態のように、この実施形態は、近位部分２０と、遠位端３０とを有するリード線本体１０を有する。電極４０は、リード線本体の概ね遠位に配置される。バイアス５０は、遠位端の近くに螺旋形または円形の態様で形成される。このバイアス５０は、集束する円形または螺旋形として形勢され、コイルは、近位部分２０から遠位端３０の方に減少する直径を有している。
【００１７】
図２に従うリード線は、２つ以上の内腔の接合部において内腔内に電極を固定するために使用可能であり得る。内腔または管が分岐して例えば２つを形成する場合、このリード線は、より小さい直径のコイルが、接合部において形成される単一の内腔内にありながら、内腔が分岐する、より大きい直径の領域内に螺旋形のより大きい直径のコイルが配備されるように用いられ得る。この態様において整合固定圧力（ｃｏｎｓｉｓｔｅｎｔ  ａｎｃｈｏｒｉｎｇ  ｐｒｅｓｓｕｒｅ）は、内腔の接合に起因して、発散する直径の領域において提供され得る。
【００１８】
図３は、本発明の実施形態に従うリード線の斜視図である。図３の実施形態は、近位部分２０と、遠位端３０とを有するリード線本体１０を含む。１つ以上の電極４０が、リード線本体に沿って配置される。バイアス５０は、遠位端３０に隣接して形成される。この実施形態におけるバイアスは、発散する円形または螺旋形を有し、この場合、コイルの直径は、近位部分２０から遠位端３０に向かって増加する。２つの内腔または管が収束して例えば１つを形成する場合、このリード線は、より小さい直径のコイルが、接合部において形成される単一の内腔内にありながら、内腔が一緒になる、より大きい直径の領域内に螺旋形のより大きい直径のコイルが配備されるように用いられ得る。この態様で整合固定圧力は、内腔の接合に起因して、収束する直径の領域に提供され得る。
【００１９】
図４は、本発明の実施形態に従うリード線の斜視図である。図４の実施形態は、近位部分２０と、遠位端３０とを有するリード線本体１０を含む。円形または螺旋形のバイアス５０は、遠位端に隣接する。電極４０は、例示的平面６０によって規定されるように、概ね螺旋形の部分の１つの四分円にあるリード線本体部分に沿って配置される。例示的平面６０は線７０で交わり、線７０はバイアス５０の軸を規定する。この実施形態の各電極の少なくともある部分は、四分円内にある。この態様で電極を分布させることによって、移植時に電極によって刺激または感知される領域は、近くに配向される最大数の電極を有し得る。
【００２０】
例えば、図４のリード線が、右腕頭静脈に移植され、右横隔膜神経を刺激するかまたは神経トラフィックを感知するという所望の効果を有する場合、平面６０によって規定されるバイアス５０の四分円は、腕頭静脈の右横側に沿って配向させられて、電極４０によって提供されるあらゆる刺激または信号感知の有効性を最大にする。
【００２１】
図５は、本発明の実施形態に従うリード線の平面図である。この実施形態は、近位部分と、遠位端とを有するリード線本体１０を有する。円形または螺旋形の基底のバイアス５０が、遠位端３０に隣接している。電極４０は、各電極の少なくとも一部分が例示的平面６０によって規定されるような螺旋形５０の四分円内にあるように分配される。この図は、図４にあるリード線についてのものであり、線７０に沿って取られている。
【００２２】
本発明の実施形態に従ってリード線を移植することは、内部ワイヤもしくはスタイレットまたは外部ガイドカテーテルなどのある種の剛性化デバイスもしくは直線化デバイスの助力によって所望の位置にリード線を前進させることを伴う。リード線が所望の位置に前進させられ、剛性化デバイスが除去されると、バイアスがその所与の形状または自然の形状に戻ることが可能となる。リード線位置は、Ｘ線および標準の静脈造影技術によって測定される。リード線は、剛性化デバイスを用いるか、用いないで、必要に応じて適切な位置に前進させられるかまたは後退させられ得る。リード線はまた、再び、剛性化デバイスを用いるか、用いないで、必要に応じて回転させられ得る。実際、剛性化部材なしに、リード線は、回転させられて、電極を適切な位置に再位置決めし得るか、またはいくつかの事例において、バイアス５０を「締め得る」かもしくは「緩め得る」かもしくは「拡張し得る」。各電極の少なくとも一部分がバイアスの四分円内に位置を決められるようにリード線上の電極が配置される場合において、リード線は、感知されるかまたは刺激される対象とする組織がその四分円の範囲内入るように配向される。すなわち、リード線が移植されていながら、図４および図５の平面６０を線７０から放射状に離れるように延ばす場合、対象とする組織は、四分円内に、好ましくは四分円の中心の方に入る。
【００２３】
図６は、本発明の実施形態に従う、患者に移植されたリード線の概略図である。リード線は、近位部分２０と、遠位端３０とを有するリード線本体１０を有する。電極４０はリード線本体に配置され、リード線本体はバイアス部分５０を含む。リード線は、鎖骨下静脈１３０を通って患者の右腕頭静脈８０に配置され、上大静脈９０の中に延びる。右腕頭から上大静脈への移行は不正確であり、特に指示されない限り、この開示内において右腕頭静脈という場合、右腕頭および上大静脈の両方をいう。電極４０は、患者の右横隔膜神経１００を刺激するかまたは右横隔膜神経１００神経活動を感知するように構成される。この実施形態において、バイアス５０は、不変のコイル径か、収束するコイル径か、または発散するコイル径であり得る。
【００２４】
胸郭内の静脈は、横隔膜収縮によって引き起こされる胸郭内圧を受ける。横隔膜が収縮すると、横隔膜は、負の胸郭内圧を作り、負の胸郭内圧は、胸郭内の静脈を膨張させ、静脈容積を増加させ、静脈の断面積を拡大する。さらに、心臓１１０および肺の下方への並進があり、このことは、上大静脈９０および腕頭静脈８０、１２０を引き伸ばし、長くし得る。心臓周期からのパルシングはまた、上大静脈９０および腕頭静脈８０、１２０へと並進させられ得る。これらの生理的力学は、多くの課題を作り、本発明者は、本発明の実施形態に従うリード線においてこれらの課題を克服した。
【００２５】
いくつかの実施形態のバイアス５０の形状は、螺旋形の形式または真円形の形式の円形である。円形の形状および螺旋形の形状は、静脈の内腔表面に対して力を加え、静脈にリード線を保持する摩擦力を作る。この放射方向定力は、脈管直径よりも「わずかに」大きい直径であるリード線に形状またはバイアスを形成することによって作られる。この関係は、いくつかの実施形態において１．１：１〜１．３：１のバイアス直径対脈管直径として説明され得る。これらの実施形態におけるバイアス５０の直径は、これらの実施形態が移植される、より大きい静脈の一部がかなり展性であるので、わずかにより大きく、発明者は、これらの静脈が、リード線を有意に抑制せず、結果として移植前のバイアスの抑制されない位置と実質的に同様である移植時のバイアス配向をもたらすことを見出した。発明者は、ほぼ同じ構成で次いで移植される所望のバイアス形状を作るためにこの知識を用いた。
【００２６】
バイアス５０は、一定直径の態様、発散する螺旋形もしくは円形、または収束する螺旋形もしくは円形に形成され得る。異なる形状は、様々な解剖学的構造および異なる位置に多かれ少なかれ適し得る。リード線が鎖骨下静脈１３０と腕頭静脈８０との接合部に意図された場合、収束する螺旋形は上部の固定および電極接触を提供し得る。目標部位が腕頭静脈接合部または上大静脈を含む場合、発散する螺旋形がより優れている場合がある。各場合においてコイルの様々な直径は、より良好な固定および電極接触ために脈管壁とのより密着した接触が証明され得る。螺旋形の最近位部分（全回転までの最初の１／２）は、分離する機構として働き得る。この特徴は、電極から外部の力（すなわち、腕、肩などの運動）を分離させ得る。この特徴はまた、静脈を係合する部分のリード線のバイアス５０が近位リード線部分２０から独立して動く（この運動は、呼吸、せき、くしゃみ、心悸動から来る）ことを可能にし得る。
【００２７】
いくつかの実施形態において、電極４０は、電極４０が対象の組織を刺激するかまたは感知するのにより適切であるようにバイアス５０の四分円内に配置される。右横隔膜神経１００が対象である場合、リード線は、最近位の電極が鎖骨下静脈に位置を定められ、電極４０を含むバイアス５０の四分円が右腕頭８０の右横部分に配置されるように位置付けられ得る。各電極の少なくとも一部分が規定された四分円内にあるようにリード線上の電極が配向される場合、リード線は、四分円が延ばされると、右横隔膜神経の有意の部分を含むようにさらに配向され得る。
【００２８】
図７は、本発明の実施形態に従う、患者に移植されたリード線の概略図である。リード線は、近位部分２０と、遠位端３０とを有するリード線本体１０を有する。電極４０はリード線本体に配置され、リード線本体はバイアス部分５０を含む。リード線は、患者の左腕頭静脈１５０に配置される。電極４０は、患者の左横隔膜神経１４０を刺激するかまたは左横隔膜神経１４０神経活動を感知するように構成される。この実施形態において、バイアス５０は、不変のコイル直径か、収束するコイル直径か、または発散するコイル直径であり得る。
【００２９】
左横隔膜神経１４０は、左腕頭静脈１５０に対していくらか斜めの角度で左腕頭静脈１５０の後ろまたは前を通過する。いくつかの実施形態において、電極４０は、リード線が移植されると電極がバイアス５０の前四分円にあるようにデバイス５０に配置され得る。これらおよび他の実施形態のいくつかにおいて、バイアス５０のコイルのピッチが、螺旋形より比較的円形であることにより、神経１４０が静脈１５０に最接近して通過するところに、より接近して電極を集中させ得る。上記に考察されたように、いくつかの実施形態においてバイアスは、リード線に移植され、応力がなく移植されていないリード線の構成と実質的に同様な構成をとる。
【００３０】
図８は、本発明の実施形態に従う内腔の断面内に移植されたリード線の概略図面である。リード線は、リード線本体１０と、それに配置された電極４０とを有する。リード線本体１０は、リード線本体１０の少なくとも複数の部分を内腔の壁１６０に押し付ける事前形成されたバイアス５０を有する。内腔は主軸Ｂを有し、主軸Ｂはバイアス軸（これもＢ）と同軸である。リード線本体は、この場合、例示的電極において計測される主軸Ａを有する。コイル軸Ｂとリード線軸Ａとの間の角度Ｃは、一般的にスキューと呼ばれ得る。リード線本体１０が、コイル軸Ｂにより平行な軸Ａを有する場合、リード線本体１０は、潜在的に運動アーティファクトの影響をより受け易い細長い螺旋形を規定する傾向がある。発明者は、複数のリード線本体であって、それらの軸Ａがコイル軸Ｂに垂直である複数のリード線本体が、おそらく内腔壁１６０を横断するように加えられるより大きい力によって内腔内においてより大きい安定性を有する螺旋形を規定することを知った。
【００３１】
角度Ｃが有意の程度までスキューであるという事実は、リード線本体が軸方向よりも横方向に内腔を横断していることを意味する。このことは、刺激または感知のためにリード線１０および電極４０が内腔壁１６０に接近するために、リード線１０と電極４０との組み合わせは内腔壁の湾曲に近似しなければならないことを意味する。
【００３２】
図９は、図８におけるような本発明の実施形態に従う、Ｂなどの軸に沿って見たリード線の概略図面である。リード線は、円形または螺旋形のバイアス５０（そのうちの１つのコイルが図示されている）におけるリード線本体１０形式と、電極４０とを有する。コイルは直径Ｄを有し、電極は長さＬを有する。いくつかの実施形態において、電極は、コイル直径Ｄに対して長さＬの適切なサイズで作られる。いくつかの場合、電極が長すぎると、脈管壁と電極との密着した接触を分離し得るか、押して離し得るかまたは妨げ得る円形の不連続が作られ、間隙１７０を生じさせる。
【００３３】
発明者は、いくつかの実施形態に対して電極の長さＬとバイアス５０のコイルの径Ｄとの比率が関連し得ることを見出した。脈管内に移植されるように構成されるコイルおよび右または左の腕頭静脈のサイズに対して、例えば効果的なＤ：Ｌ比率は、４：１以上であり得る。この比率は、図８に関して考察されたように、主リード線軸Ａが内腔軸Ｂに対して特に斜めである場合、特に適切である。十分なＬ：Ｄ比率は、結果として、内腔表面１６０に対して置かれる、より連続的な円形形状を採用するリード線本体をもたらし得る。より連続的な円形形状が、角を有する周期性平坦領域／セクションを有する形状よりもより小さい応力、内腔損傷のより低い機会、および従って電極部位における消極的な組織応答のより低い可能性を誘引することが考えられる。この比率は、適切な位置での螺旋形および円形状の形状の両方への適用を有する。
【００３４】
当業者、本発明が開示された実施形態以外の実施形態で実施され得ることを理解する。開示された実施形態は、例示の目的で提示されるのであり、限定する目的ではなく、本発明は、以下の特許請求の範囲によってのみ限定される。
【図１】
2013506494.tif 000003
【図２】
2013506494.tif 000004
【図３】
2013506494.tif 000005
【図４】
2013506494.tif 000006
【図５】
2013506494.tif 000007
【図６】
2013506494.tif 000008
【図７】
2013506494.tif 000009
【図８】
2013506494.tif 000010
【図９】
2013506494.tif 000011
【国際調査報告】
2013506494.tif 000012
2013506494.tif 000013
2013506494.tif 000014
2013506494.tif 000015
2013506494.tif 000016